(57)【要約】【課題】  安全且つ簡単に蓋又はロープを取り替えることができる蓋吊り下げ具、及び該蓋吊り下げ具を備えたカットアウトを提供することを課題とする。【解決手段】  上下方向における下端に開口部１０が形成されたカットアウト本体２であって、絶縁性材料で形成された外周部２０を有するカットアウト本体２と、開口部１０を閉じる蓋３と、前記蓋３をカットアウト本体２に対して吊り下げる索体４と、を備えたカットアウト１に用いられる蓋吊り下げ具５であって、前記外周部２０に対して着脱可能に係止される係止部５１と、前記索体４を連結するための連結部５２と、を備え、前記係止部５１が前記外周部２０に係止され、且つ前記連結部５２に前記索体４が連結された状態で、前記蓋３で開口部１０を閉じられるように構成されている蓋吊り下げ具５。【選択図】図１
2018147576.tif 000002
【特許請求の範囲】
【請求項１】
上下方向における下端に開口部が形成されたカットアウト本体であって、絶縁性材料で形成された外周部を有するカットアウト本体と、前記開口部を閉じる蓋と、前記蓋をカットアウト本体に対して吊り下げる索体と、を備えたカットアウトに用いられる蓋吊り下げ具であって、前記外周部に対して着脱可能に係止される係止部と、前記索体を連結するための連結部と、を備え、前記係止部が前記外周部に係止され、且つ前記連結部に前記索体が連結された状態で、前記蓋で前記開口部を閉じられるように構成されている蓋吊り下げ具。
【請求項２】
前記係止部は、前記外周部に係止される係止本体と、該係止本体から下方側に向けて垂下する舌片部と、を備え、前記連結部は、前記舌片部に設けられている、請求項１に記載の蓋吊り下げ具。
【請求項３】
前記舌片部は、前記係止部が前記外周部に係止された状態で、前記カットアウト本体から径外方向に延びる延出物に、前記カットアウト本体の周方向で当接可能となるように構成されている、請求項２に記載の蓋吊り下げ具。
【請求項４】
前記連結部は、前記舌片部に対して、垂下方向に沿って複数設けられている、請求項２又は３に記載の蓋吊り下げ具。
【請求項５】
前記外周部には、径内方向に向けてくびれたくびれ部が周方向に沿って形成され、前記係止部は、対向して配置された一対の係止片を備え、前記一対の係止片は、前記くびれ部に対して嵌合係止するように構成されている、請求項１〜４の何れか１項に記載の蓋吊り下げ具。
【請求項６】
上下方向における下端に開口部が形成されたカットアウト本体であって、絶縁性材料で形成された外周部を有するカットアウト本体と、前記開口部を閉じる蓋と、前記蓋をカットアウト本体に対して吊り下げる索体と、前記索体に連結され、前記蓋を吊り下げるように構成された蓋吊り下げ具と、を備え、前記蓋吊り下げ具は、前記外周部に対して着脱可能に係止される係止部と、前記索体を連結するための連結部と、を備え、前記係止部が前記外周部に係止され、且つ前記連結部に前記索体が連結された状態で、前記蓋で前記開口部を閉じられるように構成されているカットアウト。
【請求項７】
前記カットアウト本体は、所定の固定対象に支持される被支持部と、電線を挿通するための挿通部と、を備え、前記係止部は、前記外周部に係止される係止本体と、該係止本体から下方側に向けて垂下する舌片部と、を備え、前記被支持部及び前記挿通部のうちの少なくとも一方は、前記係止本体よりも下方側に位置し、且つ前記舌片部よりも前記外周部の径外方向に延出し、前記連結部は、前記舌片部に設けられ、前記係止本体よりも下方側に位置する前記被支持部及び前記挿通部のうちの少なくとも一方よりも下方側に設けられている、請求項６に記載のカットアウト。
【発明の詳細な説明】
【技術分野】
【０００１】
本発明は、蓋吊り下げ具、及び該蓋吊り下げ具を備えたカットアウトに関する。
【背景技術】
【０００２】
従来から、高圧配電線から変圧器に引き込まれる電線である引下線は、変圧器を過電流から保護するために、カットアウトを介して変圧器に接続される。カットアウトは、上下方向における下端に開口部を有する筒状のカットアウト本体と、該カットアウト本体の開口部を閉じる蓋と、カットアウト本体と蓋とを繋ぐロープとを備える。カットアウト本体の側部には、ロープを挿通するためのロープ挿通孔が形成されており、一端に蓋が取り付けられたロープは、他端が該ロープ挿通孔に挿通され、カットアウト本体に固定されている（特許文献１）。
【０００３】
カットアウトは、過電流が流れた際に、カットアウト本体内に設置されたヒューズが溶断し、該ヒューズの溶断に伴って蓋がカットアウト本体から外れるように構成されている。即ち、蓋がカットアウト本体から吊られた状態は、ヒューズが溶断されたことを意味し、地上からヒューズが溶断しているか否かを確認できるようになっている。
【先行技術文献】
【特許文献】
【０００４】
【特許文献１】特開２００５−２３５６０９号公報
【発明の概要】
【発明が解決しようとする課題】
【０００５】
ところで、カットアウト本体と蓋とを繋ぐロープは、経年劣化によって、又はカットアウト周辺での作業時に作業工具等に引っ掛かる等して断線し易い。断線したロープは、風によって周囲の充電部に巻き付き、地絡事故を誘発する虞がある。また、ロープが断線した状態で蓋がカットアウト本体から外れると、蓋が歩行者や車両に対して落下する虞があり危険である。そのため、ロープの断線に対しては補修が必要となるが、断線したロープをカットアウト本体に固定するためには、ロープ挿通孔にロープを通して結ぶ作業が必要となる。この補修作業は、細かい作業であるため間接活線工具では困難である。また、この補修作業は、ゴム手袋を装着した作業者による直接作業によっても容易ではない。更に、高圧配電線に接続されたカットアウトに対する直接作業は、安全面からも適切ではない。そのため、カットアウト本体と蓋とを繋ぐロープが断線すると、カットアウトの補修作業が困難であるという問題がある。
【０００６】
そこで、本発明は、かかる実情に鑑み、安全且つ簡単に蓋又はロープを取り替えることができる蓋吊り下げ具、及び該蓋吊り下げ具を備えたカットアウトを提供することを課題とする。
【課題を解決するための手段】
【０００７】
本発明に係る蓋吊り下げ具は、上下方向における下端に開口部が形成されたカットアウト本体であって、絶縁性材料で形成された外周部を有するカットアウト本体と、前記開口部を閉じる蓋と、前記蓋をカットアウト本体に対して吊り下げる索体と、を備えたカットアウトに用いられる蓋吊り下げ具であって、前記外周部に対して着脱可能に係止される係止部と、前記索体を連結するための連結部と、を備え、前記係止部が前記外周部に係止され、且つ前記連結部に前記索体が連結された状態で、前記蓋で前記開口部を閉じられるように構成されている。
【０００８】
かかる構成によれば、蓋吊り下げ具は、係止部がカットアウト本体の外周部に係止され、且つ連結部に索体が連結された状態で蓋が開口部を閉じられるように構成されている。そのため、索体が連結された蓋吊り下げ具をカットアウト本体に取り付けるだけで、蓋又は索体を安全且つ簡単に取り替えることができる。
【０００９】
本発明の一態様として、前記係止部は、前記外周部に係止される係止本体と、該係止本体から下方側に向けて垂下する舌片部と、を備え、前記連結部は、前記舌片部に設けられていてもよい。
【００１０】
かかる構成によれば、連結部は、舌片部に設けられているので、舌片部が垂下している分だけ開口部に接近する。そのため、索体を短くすることができるので、索体が絡まり難くなっている。
【００１１】
本発明の他態様として、前記舌片部は、前記係止部が前記外周部に係止された状態で、前記カットアウト本体から径外方向に延びる延出物に、前記カットアウト本体の周方向で当接可能となるように構成されていてもよい。
【００１２】
かかる構成によれば、係止部が外周部の周方向に回っても、舌片部が延出物に当接して停止するので、係止部が回るのを防止することができ、索体がカットアウト本体に絡み付くのを防止することができる。
【００１３】
本発明の他態様として、前記連結部は、前記舌片部に対して、垂下方向に沿って複数設けられていてもよい。
【００１４】
かかる構成によれば、索体の長さによって索体を連結する位置を変更することで、索体を弛みにくくすることができる。
【００１５】
本発明の別の態様として、前記外周部には、径内方向に向けてくびれたくびれ部が周方向に沿って形成され、前記係止部は、対向して配置された一対の係止片を備え、前記一対の係止片は、前記くびれ部に対して嵌合係止するように構成されていてもよい。
【００１６】
かかる構成によれば、一対の係止片がくびれ部に嵌合係止されるので、係止部が外周部から外れ難くなっている。
【００１７】
本発明に係るカットアウトは、上下方向における下端に開口部が形成されたカットアウト本体であって、絶縁性材料で形成された外周部を有するカットアウト本体と、前記開口部を閉じる蓋と、前記蓋をカットアウト本体に対して吊り下げる索体と、前記索体に連結され、前記蓋を吊り下げるように構成された蓋吊り下げ具と、を備え、前記蓋吊り下げ具は、前記外周部に対して着脱可能に係止される係止部と、前記索体を連結するための連結部と、を備え、前記係止部が前記外周部に係止され、且つ前記連結部に前記索体が連結された状態で、前記蓋で前記開口部を閉じられるように構成されている。
【００１８】
かかる構成によれば、蓋吊り下げ具は、係止部がカットアウト本体の外周部に係止され、且つ連結部に索体が連結された状態で蓋が開口部を閉じられるように構成されている。そのため、索体が連結された蓋吊り下げ具をカットアウト本体に取り付けるだけで、蓋又は索体を安全且つ簡単に取り替えることができる。
【００１９】
本発明の一態様として、前記カットアウト本体は、所定の固定対象に支持される被支持部と、電線を挿通するための挿通部と、を備え、前記係止部は、前記外周部に係止される係止本体と、該係止本体から下方側に向けて垂下する舌片部と、を備え、前記被支持部及び前記挿通部のうちの少なくとも一方は、前記係止本体よりも下方側に位置し、且つ前記舌片部よりも前記外周部の径外方向に延出し、前記連結部は、前記舌片部に設けられ、前記係止本体よりも下方側に位置する前記被支持部及び前記挿通部のうちの少なくとも一方よりも下方側に設けられていてもよい。
【００２０】
かかる構成によれば、索体は、被支持部及び挿通部のうちの少なくとも一方よりもカットアウトの下方側で舌片部に連結された状態となっている。そのため、係止部が外周部の周方向に回っても、索体が被支持部及び挿通部のうちの少なくとも一方に接触するのを防止することができ、索体の損傷又は断線を防止することができる。
【発明の効果】
【００２１】
以上より、本発明によれば、安全且つ簡単に蓋又はロープを取り替えることができる蓋吊り下げ具、及び該蓋吊り下げ具を備えたカットアウトを提供することができる。
【図面の簡単な説明】
【００２２】
【図１】本発明の一実施形態に係る蓋吊り下げ具が取り付けられた状態のカットアウトの側面図である。
【図２】同実施形態に係る蓋吊り下げ具の斜視図である。
【図３】蓋吊り下げ具の第１変形例である。
【図４】蓋吊り下げ具の第２変形例である。
【図５】同変形例に係る蓋吊り下げ具が取り付けられた状態のカットアウトの側面図である。
【図６】蓋吊り下げ具の第３変形例である。
【発明を実施するための形態】
【００２３】
以下、本発明の一実施形態に係る蓋吊り下げ具について、図面を参照しつつ説明する。
【００２４】
図１に示すように、本実施形態に係る蓋吊り下げ具５は、上下方向における下端に開口部１０が形成されたカットアウト本体２であって、絶縁性材料で形成された外周部２０を有するカットアウト本体２と、開口部１０を閉じる蓋３と、蓋３をカットアウト本体２に対して吊り下げる索体４と、を備えたカットアウト１に用いられる。
【００２５】
カットアウト本体２は、中心部にヒューズを挿通するための領域が形成された円筒状に形成されている。以下、カットアウト本体２の中心線が延びる方向を上下方向とする。カットアウト本体２は、上下方向における下端側に位置する基部２１と、基部２１よりも上端側に位置する胴部２２と、を備える。本実施形態では、基部２１及び胴部２２の外周側面が外周部２０を構成している。カットアウト本体２は、胴部２２の先端（上端）が徐々に縮径する先細り形状を有する。また、カットアウト本体２は、所定の固定対象Ｓに支持される被支持部２３と、電線を挿通するための挿通部２４とを備える。カットアウト本体２は、電線を挿通するための挿通部２４として、高圧配電線から引き込まれた一次側引下線Ｗ１を挿通するための第１挿通部２４１と、変圧器と接続するための二次側引下線Ｗ２を挿通するための第２挿通部２４２と、を備える。第１挿通部２４１は、胴部２２の上端に形成され、一次側引下線Ｗ１をカットアウト本体２に対して固定するための第１固定部Ｊ１を備える。第２挿通部２４２は、基部２１の側面に形成され、二次側引下線Ｗ２をカットアウト本体２に対して固定するための第２固定部Ｊ２を備える。引下線Ｗ１，Ｗ２が固定部Ｊ１，Ｊ２に固定されることで、引下線Ｗ１，Ｗ２がカットアウト本体２に対して揺動するのを抑えている。
【００２６】
外周部２０には、径内方向に向けてくびれたくびれ部２００が周方向に沿って形成されている。本実施形態では、外周部２０には、上下方向に沿って、複数のくびれ部２００が形成されている。具体的には、外周部２０は、上下方向に延びる面を構成する外周本体２０１と、該外周本体２０１から径外方向に延出する延出部２０２であって、外周本体２０１を周方向に１周するように形成された延出部２０２と、を備える。外周部２０は、複数の延出部２０２を備え、該複数の延出部２０２は、上下方向で重なるように配置されている。
【００２７】
くびれ部２００は、上下方向で並ぶ一対の延出部２０２と、該一対の延出部２０２同士の間に位置する外周本体２０１とによって画定される領域である。本実施形態の外周部２０には、複数のくびれ部２００が形成され、該複数のくびれ部２００のうちの何れかに、所定の固定対象Ｓとしての腕金Ｓに支持される被支持部２３が設けられている。具体的には、被支持部２３は、くびれ部２００に固定された固定金具２３である。本実施形態では、くびれ部２００は、胴部２２に形成されている。基部２１は、側面が滑らかに形成されている。本実施形態の外周部２０は、絶縁性材料として、陶磁器（または合成樹脂）製材料で形成されている。
【００２８】
図２に示すように、蓋３は、板状の皿部３１と、該皿部３１の端縁から皿部３１の厚み方向に延出する縁部３２とを有する。
【００２９】
索体４は、一端が蓋３に連結され、他端が蓋吊り下げ具５に連結されている。索体４は、絶縁性材料で形成されている。図２には、説明のため、索体４が湾曲し、縁部３２が上方を向いている態様が示されているが、本実施形態の索体４は、容易に折れ曲がりする柔らかい紐である。そのため、索体４は、カットアウト本体２に対して蓋３を吊り下げた状態では、蓋３の重さによって上下方向に張った状態となっている。
【００３０】
蓋吊り下げ具５は、外周部２０に対して着脱可能に係止される係止部５１と、索体４を連結するための連結部５２と、を備え、係止部５１が外周部２０に係止され、且つ連結部５２に索体４が連結された状態で蓋３が開口部１０を閉じられるように構成されている。本実施形態の蓋吊り下げ具５は、カットアウト本体２に対して着脱可能となるように構成されている。そのため、蓋吊り下げ具５は、作業者が直接、又は間接活線工具を介して把持するための把持部５３を備える。
【００３１】
係止部５１は、絶縁性材料によって形成されている。本実施形態の係止部５１は、カットアウト本体２のくびれ部２００に対して嵌合係止するように構成されている。具体的には、係止部５１は、カットアウト本体２のくびれ部２００に嵌合係止する嵌合部５１１と、該嵌合部５１１がカットアウト本体２から脱落するのを防止するためのストッパー部５１２と、カットアウト本体２に嵌合部５１１を嵌合させる際に、カットアウト本体２に当接し、カットアウト本体２を嵌合部５１１に案内するための案内部５１３とを有する。
【００３２】
係止部５１は、対向して配置された一対の係止片５０を備える。係止部５１は、一対の係止片５０が対向して配置されることで、嵌合部５１１を構成している。また、一対の係止片５０は、先端部５０３同士が接離するように構成されており、横方向（対向方向）で離間して配置されている。この構成によって、係止部５１は、カットアウト本体２に対して、径方向からアプローチすることができる。本実施形態では、一対の係止片５０の先端部５０３が案内部５１３を構成している。以下、一対の係止片５０が対向する方向を横方向、一対の係止片５０をカットアウト本体２に対してアプローチさせる方向を縦方向、横方向及び縦方向に直交する方向を上下方向とする。
【００３３】
係止片５０は、長尺で、剛性を有する材料で形成されている。対向する係止片５０が位置する側（カットアウト本体２側）を内方とすると、係止片５０は、横方向外方に向かって湾曲する第１湾曲部５０１と、該第１湾曲部５０１及び先端部５０３に連続し、横方向内方に対して湾曲する第２湾曲部５０２であって、先端部５０３を横方向外方に向ける第２湾曲部５０２とを備える。
【００３４】
一対の係止片５０の第１湾曲部５０１同士は、対向して配置されることで、嵌合部５１１を構成している。本実施形態では、係止部５１は、一対の係止片５０の基端同士が接続されることで、基端側で嵌合部５１１が閉じるように構成されている。また、一対の係止片５０の第２湾曲部５０２同士は、対向して配置されることで、嵌合部５１１の開口Ｐをカットアウト本体２の外周部２０に対して狭めるストッパー部５１２を構成している。更に、一対の係止片５０の先端部５０３同士は、横方向における逆方向に延びることで、案内部５１３を構成している。具体的には、先端部５０３同士は、嵌合部５１１をカットアウト本体２に嵌合させる際に、側面５０４が外周部２０に当接する。先端部５０３と第２湾曲部５０２とは滑らかなカーブを描いて繋がっており、先端部５０３が外周部２０に押し付けられるに伴って、先端部５０３と第２湾曲部５０２との境界部５０５が外周部２０の曲面に対して当接しながら第２湾曲部５０２同士を広げていく。そして、第２湾曲部５０２が外周部２０に対して押し進められて所定の位置に達すると、第２湾曲部５０２同士は、一対の係止片５０の復元力により当初の距離を保つように互いに接近し、同時に嵌合部５１１が外周部２０に嵌合する。このように、一対の先端部５０３と一対の境界部５０５とによって案内部５１３が構成されることで、先端部５０３を外周部２０に押し付けることで、嵌合部５１１にカットアウト本体２をスムースに導くことができる。
【００３５】
連結部５２は、索体４を連結する部分である。本実施形態では、連結部５２は、係止部５１に設けられている。本実施形態では、連結部５２は、係止部５１の嵌合部５１１に設けられている。具体的には、嵌合部５１１は、径外方向に突出する突出部５１１ａを備え、該突出部５１１ａが連結部５２を構成している。即ち、索体４は、該突出部５１１ａに所定の連結手段によって連結されている。本実施形態では、索体４は、連結部５２に結び付けられている。連結部５２は、ストッパー部５１２に対して嵌合部５１１の径方向で並ぶように、横方向に対して反対側に設けられている。
【００３６】
本実施形態の把持部５３は、間接活線工具によって把持可能に構成されている。具体的には、把持部５３は、薄板状に形成され、係止部５１から該係止部５１の外方に対して延出している。把持部５３は、複数設けられている。本実施形態では、把持部５３は、先端部５０３、及び第１湾曲部５０１に設けられている。
【００３７】
本実施形態に係る蓋吊り下げ具５の説明は以上である。次に、蓋吊り下げ具５の使用方法について説明する。
【００３８】
本実施形態では、カットアウト１が、蓋吊り下げ具５が装着された状態で腕金Ｓに固定されている場合と、蓋吊り下げ具５が未装着の状態で腕金Ｓに固定されている場合とが想定される。即ち、本実施形態の蓋吊り下げ具５は、カットアウト本体２に対して着脱可能に構成されているので、蓋吊り下げ具５は、カットアウト本体２に対して、所望のタイミングで取り付けることができる。前者の場合、例えば、カットアウト１は、設置当初から蓋吊り下げ具５がカットアウト本体２に取り付けられた状態で腕金Ｓに固定されていてもよい（この場合、蓋３及び索体４は、揺動しないようにカットアウト本体２等に仮止めされているのが好ましい）。後者の場合、例えば、蓋吊り下げ具５は、カットアウト１に元々取り付けられていた紐（図示しない）が切れた場合や、当初蓋（図示しない）が紛失した場合に、紐及び当初蓋を交換する作業時に用いられてもよい（取り付けられてもよい）。何れの場合であっても、蓋吊り下げ具５をカットアウト本体２に取り付ける際には、作業者は、一端に蓋３が連結された索体４の他端を蓋吊り下げ具５に連結しておく。
【００３９】
作業者は、手作業（間接活線工具を用いずに）によって蓋吊り下げ具５をカットアウト本体２に取り付ける場合には、一対の係止片５０の先端部５０３同士を開いて、嵌合部５１１をくびれ部２００に嵌合させる。作業者は、間接作業によって蓋吊り下げ具５をカットアウト本体２に取り付ける場合には、把持部５３のうちの何れかを間接活線工具で把持し、カットアウト本体２の外周部２０に一対の係止片５０の先端部５０３を当接させる。この状態で係止部５１を外周部２０に押し付け、第２湾曲部５０２に対して外周部２０を滑らせながら一対の係止片５０を徐々に開き、嵌合部５１１を外周部２０に嵌め込む。当初蓋が紛失している場合には、蓋吊り下げ具５をカットアウト本体２に取り付けた後、蓋３で開口部１０を閉じる。
【００４０】
以上のように、上記実施形態では、蓋吊り下げ具５は、係止部５１がカットアウト本体２の外周部２０に係止され、且つ連結部５２に索体４が連結された状態で蓋３が開口部１０を閉じられるように構成されている。そのため、索体４が連結された蓋吊り下げ具５をカットアウト本体２に取り付けるだけで、蓋３又は索体４を安全且つ簡単に取り替えることができる。
【００４１】
例えば、上記実施形態の蓋吊り下げ具５をカットアウト本体２に取り付けることで、当初蓋とカットアウト本体２とを連結していた紐が断線した場合、当初蓋が破損した場合や紛失した場合に、当初蓋が撤去された開口部１０を新たな蓋３で閉じることでカットアウト本体２を取り替えること無く使用することができる。そのため、機能的に問題の無いカットアウト１を取り替えずに使用できるので、取り替え工事が必要なく、コスト上も有利である。また、係止部５１を安全な位置（絶縁性材料で形成された外周部２０）に取り付けるので、安全に作業を行うことができる。このように、上記構成のカットアウト１においては、当初蓋及び紐を安全かつ簡単に取り替えることができる。
【００４２】
また、上記実施形態では、係止部５１が一対の係止片５０を備え、一対の係止片５０がカットアウト本体２のくびれ部２００に嵌合係止するように構成されている。そのため、係止部５１が外周部２０から外れ難くなっている。また、一対の係止片５０の先端同士が横方向に離間しているので、係止部５１を外周部２０の径方向からアプローチさせて、外周部２０に嵌め込むことができる。そのため、係止部５１を外周部２０に対して取り付け易くなっている。
【００４３】
尚、本発明の蓋吊り下げ具５は、上記実施形態に限定されるものではなく、本発明の要旨を逸脱しない範囲内において種々変更を加え得ることは勿論である。
【００４４】
上記実施形態では、図２に示すように、連結部５２は、ストッパー部５１２に対して嵌合部５１１の径方向で並ぶように、横方向に対して反対側に設けられている場合について説明したが、これに限定されるものではない。図３に示すように、連結部５２は、ストッパー部５１２に対して、径方向に対して横方向にずれた位置に設けられていてもよい。例えば、連結部５２は、嵌合部５１１の第１湾曲部５０１に設けられていてもよい。この場合、ストッパー部５１２に対して嵌合部５１１の径方向で並ぶ位置には、把持部５３が設けられていてもよい。把持部５３をこの位置に設けることで、例えば、該把持部５３を間接活線工具で把持しつつ外周部２０に嵌合部５１１を嵌合させる際には、ストッパー部５１２に対して直線的に押し付け力を作用させることができるので、係止部５１を嵌合部５１１に嵌合させ易い。
【００４５】
上記実施形態では、特に言及するものではないが、図４に示すように、係止部５１は、外周部２０に係止される係止本体５１４と、係止本体５１４から下方側に向けて垂下する舌片部５１５と、を備え、連結部５２は、舌片部５１５に設けられていてもよい。かかる構成によれば、連結部５２は、舌片部５１５に設けられているので、舌片部５１５が垂下している分だけ（係止本体５１４に設けられている場合と比較して）、開口部１０に接近する（図５参照）。そのため、連結部５２が係止本体５１４に設けられている場合と比較して、索体４を短くすることができるので、索体４が絡まり難くなっている。
【００４６】
即ち、索体４は、係止本体５１４よりも下方側で連結されることとなり、係止本体５１４に連結されている場合（例えば、図１の長さの場合）と比較して短くなっている。図５に示すように、本実施形態では、連結部５２は、舌片部５１５の最下端Ｂに設けられている。また、この場合、舌片部５１５は、係止部５１が外周部２０に係止された状態で、カットアウト本体２から径外方向に延びる延出物に、カットアウト本体２の周方向で当接可能となるように構成されていてもよい。かる構成によれば、係止部５１が外周部２０の周方向に回っても、舌片部５１５が延出物に当接して停止するので、係止部５１が回るのを防止することができ、索体４がカットアウト本体２に絡み付くのを防止することができる。
【００４７】
即ち、図５に示すように、舌片部５１５は、延出物としての二次側引下線Ｗ２、又は第２固定部Ｊ２に対して、周方向に重なるように配置されている。図５では、最下端Ｂが二次側引下線Ｗ２及び第２固定部Ｊ２と略同じ高さとなっているが、舌片部５１５の長さは自由に設定可能である。舌片部５１５は、最下端Ｂが二次側引下線Ｗ２及び第２固定部Ｊ２よりも下方側に位置する長さで形成されていてもよい。即ち、第２挿通部２４２の第２固定部Ｊ２は、係止本体５１４よりも下方側に位置し、且つ舌片部５１５よりも外周部２０の径外方向に延出している。連結部５２は、舌片部５１５に設けられ、第２固定部Ｊ２よりも下方側に設けられている。この場合、索体４は、二次側引下線Ｗ２及び第２固定部Ｊ２よりも下方側で連結された状態となるので、係止部５１が外周部２０の周方向に回っても、索体４が二次側引下線Ｗ２及び第２固定部Ｊ２に接触するのを防止することができ、索体４の損傷又は断線を防止することができる。
【００４８】
更に、この場合、図６に示すように、連結部５２は、舌片部５１５に対して、垂下方向に沿って複数設けられていてもよい。かかる構成によれば、索体４の長さによって索体４を連結する位置を変更することで、索体４を弛みにくくすることができる。
【００４９】
図６では、舌片部５１５が捻じられることによってクロス部Ｘが形成され、上下に並ぶクロス部Ｘとクロス部Ｘとの間を連結部５２として、連結部５２が垂下方向に沿って配置されている。しかしながら、図６の態様に限られず、例えば、舌片部５１５を棒状に形成して、球体等を長手方向（垂下方向）に沿って所定間隔置きに設置することで、複数の連結部５２を形成するなど、連結部５２は、索体４を連結する位置を変更できれば、如何なる形状であってもよい。
【００５０】
また、上記構成によれば、蓋吊り下げ具５を取り付ける位置を、カットアウト本体２の設置状況に応じて決めることができる。即ち、係止部５１をカットアウト本体２の胴部２２に取り付けなければならない場合には、索体４を舌片部５１５の上端側に位置する連結部５２に連結し、係止部５１をカットアウト本体２の基部２１に取り付けなければならない場合には、索体４を舌片部５１５の中途部や下端側に位置する連結部５２に連結する。このように、上記構成の蓋吊り下げ具５は、カットアウト１の設置状況に応じて、索体４を適切な位置に連結させることができる。
【００５１】
上記実施形態では特に言及するものではないが、蓋吊り下げ具５は、カットアウト本体２に取り付けられた状態でカットアウト１の一部として流通してもよく、カットアウト本体２とは別体として流通してもよい。
【００５２】
また、上記実施形態では、主に蓋吊り下げ具５に係る発明として説明したが、本発明は、蓋吊り下げ具５を備えたカットアウト１に係る発明としても捉えることができる。即ち、本発明の他実施形態として、カットアウト１は、上下方向における下端に開口部１０が形成されたカットアウト本体２であって、絶縁性材料で形成された外周部２０を有するカットアウト本体２と、開口部１０を閉じる蓋３と、蓋３をカットアウト本体２に対して吊り下げる索体４と、索体４に連結され、蓋３を吊り下げるように構成された蓋吊り下げ具５と、を備えていてもよい。そして、蓋吊り下げ具５は、外周部２０に対して係止される係止部５１と、索体４を連結するための連結部５２と、を備え、係止部５１が外周部２０に係止され、且つ連結部５２に索体４が連結された状態で、蓋３で開口部１０を閉じられるように構成されていてもよい。
【００５３】
上記実施形態は特に言及するものではないが、カットアウト１は、当初蓋と、該当初蓋とカットアウト本体２とを連結する紐と、を備えていてもよい。即ち、当初蓋及び紐を備えたカットアウト本体２に対して、蓋吊り下げ具５、蓋３、及び索体４を設けるようにしてもよい。
【００５４】
上記実施形態では、舌片部５１５は、延出物としての二次側引下線Ｗ２、又は第２固定部Ｊ２に、カットアウト本体２の周方向で当接可能となるように構成されている場合について説明したがこれに限定されるものではない。延出物は、例えば、カットアウト本体２を腕金Ｓに対して支持させるための固定金具２３（図１及び図５参照）であってもよく、舌片部５１５は、固定金具２３に、カットアウト本体２の周方向で当接可能となるように構成されていてもよい。即ち、被支持部２３としての固定金具２３が係止本体５１４よりも下方側に位置し、且つ舌片部５１５よりも外周部２０の径外方向に延出していてもよい。
【００５５】
上記実施形態では、蓋吊り下げ具５が把持部５３を備えている場合について説明したが、蓋吊り下げ具５は、把持部５３を備えていなくてもよい。
【００５６】
上記実施形態では、係止部５１がくびれ部２００に嵌合係止する場合について説明したが、これに限定されるものではない。係止部５１は、延出部２０２を抱き込むクリップ状に形成されていてもよい。また、胴部２２にくびれ部２００が形成され、係止部５１が胴部２２に係止される場合について説明したが、基部２１にくびれ部２００が形成され、係止部５１は、基部２１に対して係止されてもよい。
【００５７】
上記実施形態では、蓋吊り下げ具５は、カットアウト１に元々取り付けられていた紐（図示しない）が切れた場合や、当初蓋が紛失した場合に、紐及び当初蓋を交換する作業時に用いられる場合を例示した。しかしながら、蓋吊り下げ具５は、先にカットアウト本体２に取り付けられている蓋吊り下げ具５と交換されることで、蓋３又は索体４を取り替えるように使用されてもよい。
【符号の説明】
【００５８】
１…カットアウト、２…カットアウト本体、３…蓋、４…索体、５…蓋吊り下げ具、２０…外周部、２１…基部、２２…胴部、２３…固定金具（被支持部）、２４…挿通部、３１…皿部、３２…縁部、５０…係止片、５１…係止部、５２…連結部、５３…把持部、２００…くびれ部、２０１…外周本体、２０２…延出部、２４１…第１挿通部、２４２…第２挿通部、５０１…第１湾曲部、５０２…第２湾曲部、５０３…先端部、５０４…側面、５０５…境界部、５１１…嵌合部、５１１ａ…突出部、５１２…ストッパー部、５１３…案内部、５１４…係止本体、５１５…舌片部、Ｊ１…第１固定部、Ｊ２…第２固定部、Ｓ…腕金（固定対象）、Ｗ…引下線、Ｗ１…一次側引下線、Ｗ２…二次側引下線、Ｘ…クロス部
【図１】
2018147576.tif 000003
【図２】
2018147576.tif 000004
【図３】
2018147576.tif 000005
【図４】
2018147576.tif 000006
【図５】
2018147576.tif 000007
【図６】
2018147576.tif 000008